【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
ａ．異なる表面積を有し、間隔により分離される少なくとも２つの電極を持つ非対称キャパシタに近い媒体内の粒子に電磁放射を適用し、
ｂ．前記非対称キャパシタにより正味力を発生する少なくとも１つの電極に電圧を印加することから成る非対称キャパシタで力を提供する方法。
【請求項２】
粒子に前記電磁放射を適用して、少なくとも電極間の粒子部分をイオン化する請求項１記載の方法。
【請求項３】
粒子に電磁放射を適用して、電極間にプラズマを生成する請求項２記載の方法。
【請求項４】
さらに、プラズマを生成するために使用される波長より長い波長の電磁放射でプラズマを安定化することから成る請求項３記載の方法。
【請求項５】
粒子に電磁放射を適用して、所定量の粒子密度、プラズマエネルギーまたは、それらの組合せを増加する請求項１記載の方法。
【請求項６】
電圧を印加する場合、所定の正味スラスト力のための電磁放射をすることがなく、印加電圧と比較して、粒子に適用される電磁放射によりキャパシタに低電圧を印加することから成る請求項１記載の方法。
【請求項７】
電磁放射を適用する場合、前記非対称キャパシタに電圧を印加する前に粒子に放射を適用することから成る請求項１記載の方法。
【請求項８】
電磁放射を適用する場合、紫外線、赤外線または、その組合せを適用することから成る請求項１記載の方法。
【請求項９】
電磁放射を適用する場合、光子放出により粒子をイオン化する周波数で放射を適用することから成る請求項８記載の方法。
【請求項１０】
さらに、粒子に紫外線、赤外線または、その組合せを適用することにより、非対称キャパシタ内の粒子のプラズマ密度を増加することから成る請求項１記載の方法。
【請求項１１】
さらに、非対称キャパシタの小さい電極から大きい電極への方向で正味力を発生することから成る請求項１記載の方法。
【請求項１２】
非対称キャパシタは構造体に接続され、さらに、構造体にスラストを与えることから成る請求項１記載の方法。
【請求項１３】
さらに、多数のスラストベクトルを与えるために、非対称キャパシタを構造体に関して多数の方位に回転を許容することから成る請求項１２記載の方法。
【請求項１４】
さらに、エンジンが作用する媒体と無関係で正味力の少なくとも
一部分を展開するために、非対称キャパシタに粒子を供給することから成る請求項１記載の方法。
【請求項１５】
さらに、電磁放射を電極の近くの体積内に反射することから成る請求項１記載の方法。
【請求項１６】
さらに、電磁放射を粒子に対して脈動し、電圧を電極の内の少なくとも１つに脈動し、または、それらの組合せから成る請求項１記載の方法。
【請求項１７】
さらに、電磁放射をオフ状態からオン状態へ切換え、オフ状態へ戻すことから成る請求項１記載の方法。
【請求項１８】
さらに、非対称キャパシタを空気内で作用し、正味力を発生するために空気粒子に作用することから成る請求項１記載の方法。
【請求項１９】
さらに、空気粒子の補足を選択された粒子で補足することから成る請求項１８記載の方法。
【請求項２０】
補足粒子は気体である請求項１９記載の方法。
【請求項２１】
さらに、標準状態で大気圧より低い媒体内で非対称キャパシタを作用し、正味力を発生するために補足粒子を提供することから成る請求項１記載の方法。
【請求項２２】
さらに、非対称キャパシタに携帯用パワーを提供することから成る請求項１記載の方法。
【請求項２３】
さらに、液体内で非対称キャパシタを操作し、液体は蒸発形式で非対称キャパシタに送られることから成る請求項１記載の方法。
【請求項２４】
正味力は、非対称キャパシタおよび非対称キャパシタ接続される構造体を動かすスラスト力である請求項１記載の方法。
【請求項２５】
さらに、電極の少なくとも一方の表面積を調整することにより、正味力を変更することから成る請求項１記載の方法。
【請求項２６】
ａ．第１表面積を持つ第１電極と、第１表面積と異なる第２表面積を持つ第２電極との間の媒体内の電磁放射で粒子をイオン化し、
ｂ．少なくとも一方の電極に電圧を印加し、電極により正味力を発生することから成る非対称キャパシタからのパワー出力を増加する方法。
【請求項２７】
前記電磁放射で前記粒子をイオン化する場合、所定体積のためのプラズマ密度と、プラズマエネルギーと、それらの組合せを増加する請求項２６記載の方法。
【請求項２８】
前記電圧を印加する場合、所定の正味力のための電磁放射のない印加電圧に比べて、前記粒子に適用される電磁放射でキャパシタに低電圧を印加することから成る請求項２６記載の方法。
【請求項２９】
前記電磁放射を適用する場合、紫外線、赤外線または、それらの組合せを適用することから成る請求項２６記載の方法。
【請求項３０】
電磁放射を適用する場合、光子放出により粒子をイオン化する周波数で放射を適用することから成る請求項２９記載の方法。
【請求項３１】
非対称キャパシタは構造体に接続され、さらに、スラストを構造体に与えることから成る請求項２６記載の方法。
【請求項３２】
さらに、非対称キャパシタが露呈される媒体とは関係なく、正味力の少なくとも一部分で展開するために、非対称キャパシタに粒子を供給することから成る請求項２６記載の方法。
【請求項３３】
さらに、粒子に対する電磁放射を脈動することから成る請求項２６記載の方法。
【請求項３４】
さらに、電磁放射をオフ状態からオン状態へ切替え、オフ状態へ戻すことから成る請求項２６記載の方法。
【請求項３５】
さらに、空気中で非対称キャパシタを操作し、正味力を発生するために空気粒子に作用することから成る請求項２６記載の方法。
【請求項３６】
さらに、選択された補足粒子で空気の粒子を補足することから成る請求項３５記載の方法。
【請求項３７】
さらに、標準状態で大気圧より低い媒体内で非対称キャパシタを操作し、正味力を発生するために補足粒子を与えることから成る請求項２６記載の方法。
【請求項３８】
さらに、電極の少なくとも一方の表面積を調整することにより、電磁放射を変更することから成る請求項２６記載の方法。
【請求項３９】
さらに、粒子に対する電磁放射、電極の少なくとも一方に対する電圧、または、それらの組合せを脈動することを含む請求項２６記載の方法。
【請求項４０】
ａ．第１表面積を持つ第１電極と、第１表面積と異なる第２表面積を持つ第２電極とを含む非対称キャパシタと、
ｂ．前記キャパシタに電圧を印加し、前記キャパシタで正味力を発生するために非対称キャパシタに接続される電源と、
ｃ．電極間の粒子に放射を適用するために採用される電磁放射源とを含む力を生じるためのシステム。
【請求項４１】
前記電磁放射源は、前記電圧により前記キャパシタに供給されるエネルギーに加えて、前記粒子にエネルギーを与えるために採用される請求項４０記載のシステム。
【請求項４２】
電磁放射源は、電極間の粒子の少なくとも一部分でイオン化をするために採用される請求項４１記載のシステム。
【請求項４３】
電磁放射源は、電極間でプラズマを生成するために採用される請求項４１記載のシステム。
【請求項４４】
電圧を非対称キャパシタに印加する前に、電磁放射源は電極間の粒子に電磁放射を適用する請求項４０記載のシステム。
【請求項４５】
電磁放射源は紫外線源、赤外線源または、それらの組合せを含む請求項４０記載のシステム。
【請求項４６】
電磁放射源は、非対称キャパシタ内の所定体積のための粒子密度、プラズマエネルギーまたは、それらの組合せを増加するために採用される請求項４５記載のシステム。
【請求項４７】
非対称キャパシタは構造体に接続され、構造体にスラストを与えるために採用される請求項４０記載のシステム。
【請求項４８】
非対称キャパシタは構造体に関して多数の方位に回転できる請求項４７記載のシステム。
【請求項４９】
さらに、非対称キャパシタに接続され、非対称キャパシタが操作する媒体と関係なく非対称キャパシタに粒子を供給ために採用される粒子供給を含むことから成る請求項４０記載のシステム。
【請求項５０】
電磁放射源は、光子放出により粒子をイオン化する周波数で電磁放射を供給する請求項４０記載のシステム。
【請求項５１】
１つ以上の電極は、１つ以上の電極の表面積を増加するために、貫通して形成される開口を持つ請求項４０記載のシステム。
【請求項５２】
さらに、非対称キャパシタに接続される１つ以上の電磁放射リフレクタを含む請求項４０記載のシステム。
【請求項５３】
ａ．非対称キャパシタに接続される構造体と、
ｂ．前記構造体に接続されるコントローラとを含む請求項４０記載のシステム。
【請求項５４】
さらに、前記構造体に接続され、それで、固定接地箇所に接続されることから成る請求項５３記載のシステム。
【請求項５５】
さらに、固定設置箇所と関係なく、電力を非対称キャパシタに供給するために、前記構造体に接続される電源を含む請求項５３記載のシステム。
【請求項５６】
さらに、粒子を非対称キャパシタに供給するために、前記構造体に接続される粒子供給することから成る請求項５３記載のシステム。
【請求項５７】
さらに、前記構造体に接続され、乗り物に対してピッチ、ロール、偏揺制御を与えるために採用される複数の非対称キャパシタを含む請求項５３記載のシステム。
【請求項５８】
系はペイロードを運ぶために採用される請求項５３記載のシステム。
【請求項５９】
電磁源は、電極間の体積の方向へ向けられる光子放出を含む請求項５３記載のシステム。
【請求項６０】
電磁源は、電極間の体積の方向へ向けられる電磁放射エミッタを含む請求項５３記載のシステム。
【請求項６１】
電磁放射を適用して、さらに、マグネトロンで粒子を加熱することから成る請求項１記載の方法。
【請求項６２】
少なくとも１つの電極に電圧を印加して、さらに、少なくとも１つの多孔性電極に電圧を印加する請求項１記載の方法。
【請求項６３】
さらに、マグネトロンで粒子を加熱することから成る請求項２６記載の方法。
【請求項６４】
少なくとも１つの電極に電圧を印加して、さらに、少なくとも１つの多孔性電極に電圧を印加する請求項２６記載の方法。
【請求項６５】
電磁放射源は、さらに、粒子を加熱するために適用されるマグネトロンから成る請求項４０のシステム。
【請求項６６】
少なくとも１つの電極は多孔性である請求項４０記載のシステム。